【事件の表示】
　平成　３年特許願第　３７７７４号「ＥＭＩシールドを施した携帯用電話機の製造方法」拒絶査定に対する審判事件〔平成　５年　１月１４日出願公開、特開平　５−　　７１７７、平成　７年１１月２９日出願公告、特公平　７−１１２２９６、請求項の数（１）〕について、次のとおり審決する。
【結　論】
　原査定を取り消す。
　本願の発明は、特許すべきものとする。
【理　由】
　本願は平成3年2月8日の出願であって、その請求項１に係る発明（以下、本願発明という。）は、明細書及び図面の記載からみて本願の特許請求の範囲請求項１に記載されたとおりの、
「外装の継ぎ目部にＥＭＩシールドを有する携帯電話機の製造方法において、外装の１部である電話機カバーの対応する箇所にＦＩＰＧ法によって、２５℃における粘度が１，０００〜１００万ポイズであって、硬化後の硬度が１０〜８０Ｈｓとなる自己接着性を有する導電性液状シリコーンゴムから成るパッキングを形成せしめ、次いで得られたカバーパッキング組立体を、電話機本体を内部に納めた筐体と一体化させることを特徴とする携帯用電話機の製造方法。」にあるものと認められる。
　なお、本願については、平成8年12月4日付けの手続補正がなされたが、これは平成12年2月16日付けの補正の却下の決定により却下された。
  これに対して、原査定の拒絶の理由である特許異議の決定の理由、及び、当審の拒絶の理由において引用した、本願の出願日前の公知の実願昭63−66881号（実開平1−171092号）のマイクロフィルム（引用文献１という。）、特開昭60−199057号公報（引用文献２という。）、東芝レビューＶｏｌ．37、Ｎｏ．3（1982）第259〜262頁（引用文献３という。）、熊田　誠他監修、最新シリコーン技術−開発と応用−（株式会社シーエムシー、1986）第184〜198頁（引用文献４という。）、特開昭60−88500号公報（引用文献５）には、本願発明に関係するものとして、以下の技術的事項が記載されている。
*引用文献１：
　「上ケースと基板間及び基板と下ケース間のすきまをなくして、電磁波遮蔽効果の高いシールドケースを提供することを目的」（第4頁第1〜３行）とし、この電磁波遮蔽とは、「無線機・・・内部の基板には高周波を発生するものがあり・・・この高周波を遮蔽するため、及び外部からの高周波等の干渉を遮蔽する」（第2頁第1〜3行）意味であると記載されており、その電磁遮蔽効果を高めるために、シールドケースの具体的な構成、製造方法に関して、「この上ケース２は、・・・一面が開放面となっている。・・・この開放面の端部の結合部には導電性ゴム系塗料６が塗布されている。この導電性ゴム系塗料６は導電性シリコンゴム接着剤等の弾力性のある物質であり、上ケース２の基板との結合部に接着されている。」（第5頁第15行〜第6頁第2行）と、また、「高周波電気回路が構成されている基板１を上ケース２と下ケース３の間にはさみ込む。・・・上ケース２と基板１と下ケース３を結合している。」（第7頁第4〜１２行）と記載されている。
*引用文献2：
　「電磁波遮蔽材として有用」（第2頁右上欄第17行）な導電性室温硬化型組成物として、「シリコーンゴム組成物」（第１頁右欄第３行他）であって、硬化後の硬度が、５８〜８０（第１〜４表）であって、「溶剤によって希釈することによって低粘度のいわゆる塗料としても使用することができ」（第５頁左上欄第８〜１０行）、「カーボンファンクショナルシランなどの接着性向上剤・・・を適宜添加配合してもよい」（第5頁右上欄第7〜9行）、「使用時の作業性がわるくなるので、２５°Ｃにおける粘度が100〜1，000，000ｃＳのもの、好ましくは1，000〜50，000ｃＳのもの」（第２頁右下欄第2〜４行）と記載されている。
*引用文献3、4：
　FIPGは現場成型ガスケットのことであり、定形ガスケットと異なりシール面の形状に合わせて自由な形状に成形でき、RTVシリコーンゴム、即ち、室温加硫形シリコーンゴムは弾性に富み、自己接着性を付与できるなどの特長によりFIPGに好適であり、接合部の気密等が完全であってオイルパンや家庭電気製品のシールに利用されていることが記載されている。
*引用文献５：
　パソコン、OA機器、ホームオートメーション機器.パーソナル無線機等(第１頁右下欄第15〜19行)の「電子応用機器より外部へ漏洩する電波をシールドするため」（第２頁左上欄第15〜１６行）に、「筐体間の間隙から漏洩する電波をシールドするため」（第２頁右上欄第1〜2行）に、「従来から導電性ゴムの中空押出成型品又は金属細線の網上構造体からなるガスケットあるいはパッキング材が導電性筐体の間に使用されてきた」（第2頁左上欄第1〜５行）と、また、「導電性フィラーを練り込んだゴム材料、代表的な例としては導電性シリコーンゴムの中空押出成型品からなる電波シールドガスケットである」（第2頁右上欄第8〜11行）ことが記載されている。
  そこで、本願発明と引用文献1〜5に記載された技術的事項とを対比検討してみる。
　引用文献１記載の上記技術的事項中の「開放面の端部の結合部」、「電磁波遮蔽効果の高いシールド」、「上ケース２」、「下ケース３」、「高周波電気回路が構成されている基板１」は、それぞれ、本件請求項１に係る発明における「外装の継ぎ目部」、「ＥＭＩシールド」、「カバー」、「筐体」、「本体」に相当し、「携帯（用）電話機」は「無線機」の一種であり、「ＦＩＰＧ法」は「塗布法」の一種であるから、本件請求項１記載の発明と引用文献１記載の技術的事項によって特定される発明は、「外装の継ぎ目部にＥＭＩシールドを有する無線機の製造方法において、外装の１部である無線機カバーの対応する箇所に塗布法によって、自己接着性を有する導電性液状シリコーンゴムから成るパッキングを形成せしめ、次いで得られたカバーパッキング組立体を、本体と筐体と一体化させることを特徴とする無線機の製造方法」の点で一致し、次のイ〜ニの４点で相違する。
イ．本願発明の製造方法の対象となっている物は、携帯（用）電話機であって、引用文献１では、無線機である。
ロ．本願発明では、塗布法として、ＦＩＰＧ法を用いているのに対して、引用文献１では、塗布法と記載されるにとどまっており、具体的な手法は開示されていない。
ハ．本願発明では、自己接着性を有する導電性液状シリコーンゴムとして、２５℃における粘度が１，０００〜１００万ポイズであって、硬化後の硬度が１０〜８０Ｈｓとなるものを用いているのに対して、引用文献１には、自己接着性を有する導電性液状シリコーンゴムを用いるとの記載にとどまっている。
ニ．本願発明では、カバーパッキング組立体と一体化されるものを、電話機本体を内部に納めた筐体としているのに対して、引用文献１では、本体と筐体としている。
　そこで、これらの相違点をもとに、検討する。
　上記各引用文献中で、「導電性液状シリコーンゴム」に関した記載のあるのは、引用文献1、2、5であるが、いずれの引用文献にも、ＦＩＰＧ法の利用を示唆するような記載はなく、さらに、無溶剤タイプを示唆する記載もない。また、引用文献2にいたっては、溶剤の使用が明記されている（引用文献2の特許請求の範囲のニ））。したがって、これらの引用文献に、無溶剤タイプの「導電性液状シリコーンゴム」が開示または示唆されているものとは認められない。
　ところで、本願出願時に、ＦＩＰＧ法において使用されるシリコーンゴムが、無溶剤タイプであることは技術常識（上記引用文献４第１８４頁「（２）ＦＩＰＧに至る歩み」中の「ＦＩＰＧは主に固形分100％（有効成分100％）の反応系無溶剤タイプという事で約10年前より、図3．4．12のような2タイプが産業界で検討、改良され今日に至っている。」参照）であって、ＦＩＰＧ法は、この無溶剤を前提としている技術であるといえるから、引用文献１記載の上記発明において、「導電性液状シリコーンゴム」として、引用文献２、５記載の導電性液状シリコーンゴムを採用することまでは、当業者にとって、容易になし得るとしても、無溶剤タイプが前提となるＦＩＰＧ法を、その塗布法として採用することは、無溶剤タイプの「導電性液状シリコーンゴム」の開示がない以上、容易になし得るとは認められない。
　なお、引用文献3、4に、非導電性液状シリコーンゴム用いたＦＩＰＧ法が記載されていて、周知であるが、無溶剤タイプの「導電性液状シリコーンゴム」がいずれの引用文献にも開示されておらず、また、仮に、導電性を付与するため導電性付与剤を加えることが、引用文献等に記載されていて周知であるといえるとしても、シリコーンゴムに導電性を付与するため導電性付与剤を加えた場合に、ＦＩＰＧ法に適用できる粘度（１，０００〜１００万ポイズ）であって、しかも、硬化後に適正な硬度値（１０〜８０Ｈｓ）を得ることができるとは必ずしも予測できないから、これらの周知技術を持ってしても、ＦＩＰＧ法において、「導電性液状シリコーンゴム」を採用することは、同様に、容易になし得るとは認められない。
　そして、無溶剤タイプとすることによって、溶剤に起因するちぢみ現象などの欠点をなくすことができるという格別な効果を奏している。
　したがって、相違点ロ、ハに関する本願発明の技術的事項を、上記引用文献記載の事項に基づいて、容易に発明できたものとすることはできない。
　以上のとおりであるから、本願発明が各引用文献記載の技術的事項に基づいて容易に発明することができたものとすることはできない。
  また、他に本願を拒絶すべき理由を発見しない。
  よって、結論のとおり審決する。